(57)【要約】【課題】ファンの迅速な組み付け／分解を可能とし且つファンを堅固に固定して振動を減少する、ファンを固定するための固定装置を提供する。【解決手段】ファンを固定するための固定装置は、フロントフレーム、ラッチ部材および二つの側方フレームを含む。フロントフレームは、外側でブラケットに抗するように配置され、且つ少なくとも一つの挿入支柱が、ファンのネジ孔に挿入されるために、フロントフレームの内側から突出している。ラッチ部材は、ブラケットのラッチ孔に挿入されるために、フロントフレームの上縁に形成され下方に延出する湾曲部を有するアーチ状板である。二つの側方フレームは、フロントフレームの内側の二つの対向する側縁から垂直に延出されており、側方フレームの各々は、二つの側方フレーム間にファンを保持し固定するために、ファンがフロントフレームから離れるように移動することを防止するための位置決め部材を有する。【選択図】図１Ｂ
2008031980.tif 000002
【特許請求の範囲】
【請求項１】
ファンをコンピュータケース内のブラケットに固定するための固定装置であって、前記ブラケットは、側板と頂板を有し、前記側板は、コンピュータケースに固定されると共に前記ファンに対応する少なくとも一つ通気孔を有し、前記頂板は、前記側板の縁から垂直に延出され且つ前記通気孔に対応するラッチ孔を有し、
本固定装置は、
外側で前記側板に抗して配置され、フロントフレームの内側から突出する少なくとも一つの挿入支柱を有するフロントフレームを備え、前記ファンは、前記フロントフレームの内側に寄りかかり、且つ前記挿入支柱は、前記ファンのネジ孔に挿入され、
前記ファンフレームのラッチ孔へ挿入されるための、前記フロントフレームの上縁に形成されたラッチ部材を備え、前記ラッチ部材は、前記フロントフレームの上縁から下方に延出された湾曲部を有するアーチ状板であり、
夫々が、前記フロントフレームの内側の二つの対向する側縁から垂直に延出される二つの側方フレームを備え、側方フレームの各々は、更に、前記二つの側方フレーム同士間に前記ファンを保持し且つ固定するために、前記フロントフレームから離れるようにファンが移動することを防止するためにその上に形成された位置決め部材を有することを特徴とする、
固定装置。
【請求項２】
ラッチ部が、前記ラッチ孔の縁に係合するように前記ラッチ部材に形成されることを特徴とする、請求項１に記載の固定装置。
【請求項３】
ラッチ部材に対して旋回されるように前記ラッチ部材に旋回するように接続されたハンドグリップを備え、前記ハンドグリップは、ユーザが握って前記ラッチ部材を変形するために設けられることを特徴とする、請求項１に記載の固定装置。
【請求項４】
更に、前記フロントフレームの外側に形成された少なくとも一つのフックを備え、このフックは、ブラケットを引っ掛けてフロントフレームのブラケットへの堅固な固定を維持するために設けられることを特徴とする、請求項１に記載の固定装置。
【請求項５】
前記フロントフレームは、ファンをフロントフレームに固定するために、ネジが前記ファンのネジ孔を通過し且つそこにねじ止めされるための、前記ネジ孔に対応する貫通孔を有することを特徴とする、請求項１に記載の固定装置。
【請求項６】
側方フレームの上縁と底縁は、夫々、上に形成された弾性クッション部を有し、各弾性クッション部は、押圧され且つ変形された後、内方へ退避するように外方に延出されることを特徴とする、請求項１に記載の固定装置。
【請求項７】
側方フレームの各々は、フロントフレームから遠い側方フレームの縁に形成された二つのスリットを備え、これら二つのスリットは、夫々、各弾性クッション部に対応しており、それによって、弾性クッション部の各々は、押圧され且つ変形された後、内方へ退避できることを特徴とする、請求項６に記載の固定装置。
【請求項８】
位置決め部材の各々は、片持ち梁と位置決めブロックを有し、片持ち梁は、前記片持ち梁の一端に形成される前記位置決めブロックを有する側方フレームの各々に形成され、位置決めブロックは、前記ファンのフレームに寄り掛かるように側方フレームの内側に向かって延出し、それによって、前記フランジは、位置決めブロックとフロントフレームとの間にクランプされることを特徴とする、請求項１に記載の固定装置。
【請求項９】
前記位置決めブロックは、ストップ面とスライド面を有し、ストップ面は、前記フロントフレームに面すると共にスライド面は、フロントフレームから離れ、ファンのフランジがスライド面上をスライドして位置決めブロックを押して外方に移動すると、ストップ面は、ファンのフランジを阻止してフロントフレームから離れるように移動するファンを停止することを特徴とする、請求項８に記載の固定装置。
【発明の詳細な説明】
【技術分野】
【０００１】
本発明は、ファンをコンピュータケース内のブラケットに固定するための固定装置に関する。より具体的には、本発明は、迅速なファン組み付け及び分解を可能にし、且つファンを確実に固定できる固定装置に関する。
【背景技術】
【０００２】
電子装置は、強制対流を実行して放熱効率を向上し、動作温度範囲内に電子コンポーネントの温度を確保するためにファンを必要としている。従来、１個または複数のファンは、ネジを使用してケース内のブラケットやケースの裏板にファンを固定することによって電子装置のケースに固定される。しかしながら、ネジでファンを固定することは、ツールが必要であるので、不便である。更に、ファンを固定するために必要な作業を減少するために、ファンを固定するために使用されるネジの数が減少され、僅か１個又は２個のネジがファンのコーナーを固定するために使用されるに過ぎない。ファン固定のためのプロセスは、単純化され、且つ必要とされるネジの数も減少されるが、固定力が不十分になり、ファンの振動を引き起こすこととなる。
【０００３】
ファンの固定を単純化し、固定力を増加してファンの振動の問題を解決するために、種々のファン固定装置が開示されている。例えば、ＰＲＣ特許公開第ＣＮ２４７２４５９Ｙは、“Ｓｈｅｌｌ  ｆａｎ  ｆｉｘｅｒ  ｗｉｔｈｏｕｔ  ｓｃｒｅｗ  ｎａｉｌ（ネジ爪の無い外殻ファン固定装置）”を提供しており、この装置は、ケースの裏板を引っ掛けるためにフレームの側部から突出するフックを有する矩形フレームである。フレームの側部は、夫々、ファンをフレームに固定するために、ファンの縁又はフランジと係合する種々のサイズのラッチ要素を有する。しかしながら、このＰＲＣ特許公開第ＣＮ２４７２４５９Ｙは、ファンをコンピュータケースの裏板に固定するので、ファンをブレードサーバ等のコンピュータケースの内側に固定するには適用できない。一方、ＰＲＣ特許公開第ＣＮ２４７２４５９Ｙの矩形フレームは、ラッチ要素を有するファンの一側の縁と係合するに過ぎない。ファンの軸長が増加すると、固定力が不十分になり、フレームから離れるようにファン側の振動を引き起こす。従って、ファンを迅速に取り付け、ファンの固定処理を単純化し、固定力を増加してファンの振動を減少する方法が、なお、重要な技術的課題である。
【発明の開示】
【発明が解決しようとする課題】
【０００４】
従来のファン固定装置において、迅速にファン組み付け／分解、及び同時にファンの堅固な固定の要求を達成することは、困難である。従って、本発明の目的は、ファンの迅速な組み付け／分解を可能とし且つファンを堅固に固定して振動を減少する、ファンを固定するための固定装置を提供することである。
【課題を解決するための手段】
【０００５】
上述の目的を達成するために、本発明は、ファンをコンピュータケース内のブラケットに固定するための固定装置を提供する。コンピュータケースのブラケットは、側板と頂板とを有する。側板は、コンピュータケースに固定され、ファンによって発生される空気流が通過するためにファンに対応する少なくとも一つの通気孔を有する。頂板は、側板の上縁から垂直に延出し、通気孔に対応するラッチ孔を有する。
【０００６】
本発明の固定装置は、フロントフレームとラッチ部材と二つの側方フレームを含む。フロントフレームは、外側で側板に抗するように配置され、フロントフレームの内側から突出される少なくとも一つの挿入支柱を有する。ファンは、フロントフレームの内側に寄りかかり、挿入支柱は、ファンのネジ孔に挿入される。ラッチ部材は、ブラケットのラッチ孔へ挿入されるために、フロントフレームの上縁に形成される。ラッチ部材は、フロントフレームの上縁から下方へ延出する湾曲部を有するアーチ状板である。二つの側方フレームは、夫々、フロントフレームの内側の二つの対向する側縁から垂直に延出される。側方フレームの各々は、二つの側方フレーム同士間でファンを保持し且つ固定するために、フロントフレームから離れるようにファンが移動することを防止するためにその上に形成された位置決め部材を有する。
【発明の効果】
【０００７】
本発明の利点は、ファンを固定装置に固定するため或いは固定装置をブラケットに固定するためのツールを必要としないことである。従って、本発明の固定装置を利用することによって、迅速なファン組み付け／分解が達成される。更に、ファンが、固定装置に堅固に固定されることが出来ると共に固定装置が、ブラケットに堅固に固定され、それによって、ファンの作動に起因する振動が減少される。
【０００８】
本発明の詳細な特徴と利点は、以下の実施形態において記述され、その内容は、当業者が本発明の技術内容を理解し且つ本発明を実施するのに適する。本明細書、請求の範囲及び図面に開示される内容に従って、当業者は、本発明の目的と利点を容易に理解できる。
【０００９】
上記の本発明の内容の説明及び下記の実施形態の説明は、本発明の原理を例示し説明するために使用され、本発明の請求項に関する更なる説明を提供する。
【００１０】
本発明の利用可能性の更なる範囲は、以下に与えられる詳細な説明から明らかとなる。しかしながら、本発明の精神と範囲内での種々の変化や変更は、この詳細な説明から当業者にとって自明であるので、本発明の好適な実施形態を示す詳細な説明及び具体例は、例示のためだけに与えられていることが理解されるべきである。
【００１１】
本発明は、例示に過ぎない、以下に与えられる詳細な記述からより十分に理解され、従って、詳細な説明は、本発明を制限するものではない。
【発明を実施するための最良の形態】
【００１２】
本発明の目的、構造、特徴及び機能をより理解可能とするために、本発明は、実施形態を参照して以下に詳細に示される。
【００１３】
図１Ａ、１Ｂ、２及び３を参照すると、ファン３０をコンピュータケースのブラケット４０に固定するための固定装置１００が、本発明の実施形態で提供され、この装置は、フロントフレーム１０と２個の側方フレーム２０を含む。ファン３０は、２個の側方フレーム２０の間で保持及び固定され、フロントフレーム１０に寄りかかる。フロントフレーム１０は、ファン３０をコンピュータケース内の所定の位置に固定するためにコンピュータケース内のブラケット４０に固定される。
【００１４】
ブラケット４０は、側板４１と頂板４２を有する。側板４１は、コンピュータケースのベースボード５２に垂直に固定されており、その上に形成された、複数のファン３０に対応する複数の通気孔４１１を有する。これらの通気孔は、ファン３０によって発生される空気流が通過するために設けられる。他方、複数のスロット孔４１２は、側板４１に形成され、スロット孔４１２の長手方向は、頂板４２に対して垂直である。二つのスロット孔４１２は、対をなし、各対のスロット孔４１２は一つの通気孔４１１に対応しており、対をなす二つのスロット孔４１２は、通気孔４１１の二つの縁に隣接して夫々位置される。頂板４２は、側板４１の上縁から垂直に延出し、複数のラッチ孔４２１を有し、ラッチ孔４２１の各々は、通気孔４１１の一つに対応している。
【００１５】
フロントフレーム１０は、板形状であり、外側１１と内側１２を有する。フロントフレーム１０は、その外側１１がブラケット４０に抗するように配置され、他方、ファン３０は、内側１２に寄り掛かっている。通気孔４１１の内の一つに対応する開口１３は、ファン３０によって発生される空気流が通過するように、フロントフレーム１０の中心領域に形成される。
【００１６】
ラッチ部材１４は、ブラケット４０のラッチ孔４２１への挿入のためにフロントフレーム１０の上縁に形成される。ラッチ部材１４は、フロントフレーム１０の上縁から下方へ延出し上方へ開口する湾曲部を有するＵ形状のアーチ状板である。ラッチ部１４１は、ラッチ部材１４のフロントフレーム１０から遠い側に形成され、ラッチ部は、ラッチ孔４２１の縁と係合するように設けられる。ラッチ部材１４は、対応するラッチ孔４２１に挿入されるために設けられ、他方、ラッチ部１４１は、ラッチ孔４２１の縁に係合され、それによって、フロントフレーム１０は、ブラケット４０に固定される。ハンドグリップ１５は、ラッチ部材１４に対して旋回されるようにラッチ部材１４の縁に旋回するように接続され、それによって、ハンドグリップ１５は、ラッチ部材１４に対して旋回されることが出来るように、又はラッチ部材１４上に直立するように旋回されることが出来る。ハンドグリップ１５が、ラッチ部材１４上で直立すると、それは、ラッチ部材１４を変形するためにユーザによって掴まれることでき、それによって、ラッチ部材１４は、ラッチ孔４２１から取り出される。更に、二つのフック１６は、フロントフレーム１０の外側１１の二つの縁に形成され、これらのフック１６は、下方へ延出する。フロントフレームは、外側でブラケット４０に抗するように配置されているので、フック１６は、ブラケット４０を引っ掛け、フロントフレーム１０がブラケット４０に堅固に固定された状態を維持するために、夫々、ブラケット４０の二つのスロット孔４１２内に挿入される。フロントフレーム１０は、フロントフレーム１０の内側１２から突出する少なくとも一つの挿入支柱１７を有する。挿入支柱１７は、ファン３０のネジ孔に挿入されるために設けられ、それによって、ファン３０は、フロントフレーム１０に対して上下に動かされることはできない。更に、フロントフレーム１０は、その上に形成され且つファン３０の他のネジ孔３１に対応する貫通孔１８を有し、これは、ファン３０をより堅固にフロントフレーム１０へ固定するために、ネジ３２が、外側１１から内側１２へフロントフレーム１０を通過し、貫通孔１８に対応するネジ孔３１にネジ止めされるためである。
【００１７】
二つの側方フレーム２０は、夫々、フロントフレーム１０の内側１２の二つの対向する縁から垂直に延出している。二つの側方フレーム２０の間にファン３０を保持し固定するために、二つの側方フレーム２０は、互いに平行であり、且つ両者間の距離は、ファン３０の幅に略等しい。二つのスリット２１は、側方フレーム２０の各々のフロントフレーム１０から遠い側に開口している。側方フレーム２０の各々は、フロントフレーム１０から遠い縁に形成された二つのスリット２１を有し、二つのスリット２１は、各側方フレーム２０の上縁と底縁に平行であり、それによって、弾性クッション部２２が各側方フレーム２０の上縁と底縁に夫々形成される。各弾性クッション部２２は、外方へ延出しており、それが押圧され且つ内方へ変形された後に内方へ引っ込む。
【００１８】
図４を再び参照すると、二つの側方フレーム２０の各々は、ファン３０がフロントフレーム１０から離れるように動くことを防止するために、各側方フレーム２０の頂縁に形成された位置決め部材２３を有する。位置決め部材２３の各々は、片持ち梁２３１と位置決めブロック２３２を有する。片持ち梁２３１は、側方フレーム２０の各々に形成され、位置決めブロック２３２は、片持ち梁２３１の端部に形成され、位置決めブロック２３２は、側方フレーム２０の内側へ延出している。位置決めブロック２３２の各々は、ストップ表面２３２ａとスライド表面２３２ｂを有する。ストップ表面２３２ａは、フロントフレーム１０に面し、他方、スライド表面２３２ｂは、フロントフレーム１０から離間している。ファン３０が、二つの側方フレーム２０の間に配置され、フロントフレーム１０に向けて移動されると、ファン３０のフランジ３３は、スライド表面２３２ａに抗してスライドして位置決めブロック２３２が外方へ移動するように押圧し、それによって、片持ち梁２３１が変形及び湾曲される。次に、フランジ３３は、位置決めブロック２３２上を移動されてフロントフレーム１０に寄りかかり、位置決めブロック２３２は、片持ち梁２３１によって駆動されてそれらの元の位置に戻り、それによって、ストップ表面２３２ａは、ファン３０のフランジ３３を阻止してフロントフレームから離間するように移動するファン３０を停止し、フランジ３３は、位置決めブロック２３２とフロントフレーム１０との間にクランプされる。このように、ファン３０は、フロントフレーム１０から離れるようには移動しない。挿入支柱１７と位置決め部材２３によって、ファン３０は、二つの側方フレーム２０の間に保持され且つ固定され、落下することなくフロントフレーム１０に寄りかかる。ネジ３２は、更に堅固にファン３０をフロントフレーム１０に固定できる。確かに、ネジ３２を使用してファン３０を固定するステップは、省略されてもよい。
【００１９】
図５Ａ、５Ｂ及び６Ａを参照すると、固定装置１００でファン３０をブラケット４０に固定する時、初めに、フロントフレーム１０のフック１６は、ブラケット４０のスロット孔４１２に挿入され、ラッチ部材１４は、ラッチ孔４２１上に配される。次に、固定装置１００は、下方へ移動され、それによって、フック１６は、スロット孔４１２の端部を係止する。他方、ラッチ部材１４は、ラッチ孔４２１に挿入され、それによって、ラッチ部１４１は、ラッチ孔４２１の縁に係合される。このように、ラッチ部材１４は、ラッチ孔４２１から離脱せずに、ラッチ孔４２１に固定される。
【００２０】
図６Ｂを参照すると、ファン３０と固定装置１００が分解されるべき時に、ハンドグリップ１５が握られ、それによって、ラッチ部材１４が変形し、ラッチ部１４１は、もはやラッチ孔４２１の縁と係合しない。次に、固定装置１００が、上方に移動され、固定装置１００が、ブラケット４０から取り除かれる。
【００２１】
図７を参照すると、ファン３０が、固定装置１００でブラケット４０に固定された後、コンピュータケースのカバー５１が、ベースボード５２に固定されると、カバー５１とベースボード５２が、夫々、弾性クッション部２２を押圧し、それによって、弾性クッション部２２が変形されて、内方へ引っ込む。カバー５１とベースボード５２は、固定装置１００を保持でき、これは、固定装置１００の安定性を更に向上し、それによって、ファン３０は、作動中に垂直に振動しない。カバー５１が、直接的には弾性クッション部２２を押圧できなくとも、二つの側方フレーム２０の底縁がベースボード５２に押圧されて支持効果を実現できる。このように、固定装置１００の安定性が向上され、且つ振動が減少される。
【００２２】
このように、本発明が記述されたが、本発明が多くの方法で変更され得ることは明白である。このようなバリエーションは、本発明の精神と範囲から逸脱しているものと考えられるべきではなく、当業者にとって自明であるような全てのこのような変更は、請求の範囲内に含まれることが意図されている。
【図面の簡単な説明】
【００２３】
【図１Ａ】ファンが固定装置から分離されていることを示す本発明の実施形態の斜視図である。
【図１Ｂ】ファンが固定装置から分離されていることを示す本発明の実施形態の斜視図である。
【図２】ファンが固定装置に固定されていること示す本発明の実施形態の斜視図である。
【図３】ファンを有する固定装置がコンピュータケースのブラケットに固定されていることを示す本発明の実施形態の斜視図である。
【図４】本発明の実施形態の部分拡大斜視図である。
【図５Ａ】固定装置がブラケットに固定されることを示す本発明の実施形態の斜視図である。
【図５Ｂ】固定装置がブラケットに固定されることを示す本発明の実施形態の斜視図である。
【図６Ａ】本発明の実施形態の断面図である。
【図６Ｂ】本発明の実施形態の断面図である。
【図７】本発明の実施形態の概略側面図である。
【図１Ａ】
2008031980.tif 000003
【図１Ｂ】
2008031980.tif 000004
【図２】
2008031980.tif 000005
【図３】
2008031980.tif 000006
【図４】
2008031980.tif 000007
【図５Ａ】
2008031980.tif 000008
【図５Ｂ】
2008031980.tif 000009
【図６Ａ】
2008031980.tif 000010
【図６Ｂ】
2008031980.tif 000011
【図７】
2008031980.tif 000012